(57)【要約】【課題】表示用又は装飾用の所定物の配置スペースを確保しつつ大型のスピーカの使用を可能にし、またスピーカの放音口が悪戯や不正な遊技の手段に利用されるのを防止し得る遊技機を提供する。【解決手段】遊技機の前面部１ａに表示用又は装飾用の所定物６を設け、この所定物の裏面側にスピーカ本体３３を配置するとともに、遊技機前面部の所定物周辺にスピーカ音を前方に向って放出する放音口３４を設ける。この放音口と上記スピーカ本体の音出力部３３ａとを連通させる音響通路３６を所定物の裏面側に形成する。好ましくは、上記所定物を、遊技機前面部の上部に左右一対設け、上記スピーカ本体、放音口及び音響通路を、この一対の所定物に対応して左右に一組ずつ設ける。【選択図】　　図３
2004049885.tif 000002
【特許請求の範囲】
【請求項１】
遊技機前面部に表示用又は装飾用の所定物が設けられ、この所定物の裏面側にはスピーカ本体が配置されているとともに、上記遊技機前面部の所定物周辺にはスピーカ音を前方に向って放出する放音口が設けられ、この放音口と上記スピーカ本体の音出力部とを連通させる音響通路が所定物の裏側に形成されていることを特徴とする遊技機。
【請求項２】
上部所定物は、遊技機前面部の上部に左右一対設けられており、上記スピーカ本体、放音口及び音響通路は、この一対の所定物に対応して左右に一組ずつ設けられている請求項１記載の遊技機。
【請求項３】
上記所定物の裏面側には仕切壁が設けられており、上記スピーカ本体は、その音出力部が仕切壁と所定の間隙をあけて対向した状態に配置されている請求項２記載の遊技機。
【請求項４】
上記所定物は、表示パネル部とこの表示パネル部を裏側から照明する照明手段とを有するものであり、上記仕切壁は、この照明手段の裏側に対向して設けられている請求項３記載の遊技機
【請求項５】
上記仕切壁には音響通路と所定物の内部空間とを連通する
貫通孔が設けられている請求項４記載の遊技機。
【請求項６】
上記照明手段は、仕切壁に所定の隙間を隔てて支持された照明具を実装する実装基板を有してなり、この実装基板の支持強度は、上記貫通孔に対向する部位では低く設定されている請求項５記載の遊技機。
【請求項７】
上記仕切壁には実装基板に対向する部位にスピーカ本体の側方を通ってスピーカ本体の後方に抜ける逃がし孔が設けられている請求項５又は６記載の遊技機。
【請求項８】
上記放音口は、斜め下向きに開口して形成されている請求項２〜７のいずれか一つに記載の遊技機。
【発明の詳細な説明】
【０００１】
【発明の属する技術分野】
本発明は、スロットマシンやパチンコ機などの遊技機に関し、特に、効果音を発生するためのスピーカの取付構造に係わる。
【０００２】
【従来の技術】
一般に、スロットマシンやパチンコ機などの遊技機は、効果音を発生するためのスピーカを備えている。このスピーカとしては、近年、遊技機の前に座っている遊技者への音響効果を高めるために、例えば特許文献１及び２に開示されるように、大型のものを使用し、かつ遊技機の前面部（スロットマシンの場合前扉、パチンコ機の場合前面枠など）の上部に左右一対設けることが行われている。また、スピーカの取付構造は、通常、例えば図９に示すように、遊技機の前面部ａの裏面側にスピーカ本体ｂを取付部材ｃを介して取り付けるとともに、遊技機の前面部ａのスピーカ本体ｂに対向する部位にスピーカ音を前方に向って放出する複数の小さな孔よりなる放音口ｄを設ける構成になっている。
【０００３】
【特許文献１】
特開２００１−２９５４３号公報（第３頁、図１）
【特許文献２】
特開２０００−１７６０８６号公報（第２−３頁、図１−図５）
【０００４】
【発明が解決しようとする課題】
ところが、遊技機の前面部の上部は、スロットマシンの場合配当表などを印刷した上部パネル及び遊技演出用の表示装置を配置する個所であり、パチンコ機の場合装飾ランプを配置する個所であるため、この個所に大型のスピーカを左右一対設けると、これら表示用又は装飾用の所定物の配置スペースを確保することができず、所定物の大きさが制約されるという問題があった。
【０００５】
また、上記放音口ｄからスピーカ本体ｂまでが直線的に配置されているため、針金などを差し込んでスピーカ本体ｂのコーン膜を破るなどの悪戯をされたり、不正な遊技の手段に利用されたりする虞がある。
【０００６】
本発明はかかる点に鑑みてなされたものであり、その課題とするところは、スピーカの取付構造を改良して、表示用又は装飾用の所定物の配置スペースを確保しつつ大型のスピーカの使用を可能にし、またスピーカの放音口が悪戯や不正な遊技の手段に利用されるのを防止し得る遊技機を提供せんとするものである。
【０００７】
【課題を解決するための手段】
上記の課題を解決するため、請求項１に係る発明は、遊技機前面部に表示用又は装飾用の所定物を設け、この所定物の裏面側にスピーカ本体を配置するとともに、上記遊技機前面部の所定物周辺にスピーカ音を前方に向って放出する放音口を設け、この放音口と上記スピーカ本体の音出力部とを連通させる音響通路を所定物の裏面側に形成する構成とする。
【０００８】
この構成では、遊技機前面部に表示用又は装飾用の所定物を設けた上、この所定物の裏面側にスピーカ本体を配置することにより、表示用又は装飾用の所定物の配置スペースを確保しながら、大型のスピーカ本体の配置ひいては大型スピーカの使用を可能にすることができる。しかも、スピーカ本体の音出力部から発せられるスピーカ音は、所定物の裏面側に形成した音響通路を通って、遊技機前面部の所定物周辺に設けた放音口から前方に向って放出されるため、スピーカとしての機能を損なうことはない。また、放音口とスピーカ本体とは、従来の如く直線的な配置関係にないため、針金などを放音口から差し込んでスピーカ本体の音出力部のコーン膜を破るなどの悪戯をされたり、不正な遊技の手段に利用されたりすることもない。
【０００９】
請求項２に係る発明は、請求項１記載の遊技機において、上部所定物を、遊技機前面部の上部に左右一対設けるとともに、上記スピーカ本体、放音口及び音響通路を、この一対の所定物に対応して左右に一組ずつ設ける構成とする。この構成では、遊技機前面部の上部に設けた左右一対の放音口からそれぞれスピーカ音が前方の遊技者の耳近くに向って放出されるため、音響効果が高くなる。
【００１０】
請求項３に係る発明は、請求項２記載の遊技機において、上記所定物の裏面側に仕切壁を設ける一方、上記スピーカ本体を、その音出力部が仕切壁と所定の間隙をあけて対向した状態に配置する構成とする。この構成では、スピーカ本体の音出力部から発せられるスピーカ音は、最初に仕切壁に当たって確実に音響通路に導かれ、また、スピーカ本体の音出力部のコーンフレーム裏側の逆相音は、遊技機前面部の後方に回って前方に出難くなるので、音質が向上することになる。尚、仕切壁は、所定物の設置状態に合わせて、垂直状、前傾状、又は下方にラッパ状に開くよう後傾状に形成してもよい。
【００１１】
請求項４に係る発明は、請求項３記載の遊技機における一つの具体的な形態を提示するものである。すなわち、上記所定物は、表示パネル部とこの表示パネル部を裏側から照明する照明手段とを有するものであり、上記仕切壁を、この照明手段の裏側に対向して設ける構成とする。
【００１２】
ここで、上記スピーカ本体の音出力部と仕切壁との間の間隙が狭いと密閉空気圧のために音が籠もる虞がある。これに対処するため、請求項５に係る発明は、特に、請求項４記載の遊技機において、上記仕切壁に音響通路と所定物の内部空間とを連通する貫通孔を設ける構成とする。この構成では、仕切壁に設けた貫通孔により、音響通路の、特にスピーカ本体の音出力部と仕切壁との間の間隙部における出力音による密閉空気圧の負荷が軽減されることになり、良好な音響出力が確保される。
【００１３】
請求項６に係る発明は、請求項５記載の遊技機において、上記照明手段を、仕切壁に所定の隙間を隔てて支持された照明具を実装する実装基板を有する構成とし、かつこの実装基板の支持強度を、貫通孔に対向する部位では低く設定する構成とする。この構成では、仕切壁の貫通孔を通して音響通路側から照明手段の内部空間である実装基板収納空間内に入った音は実装基板に当たることになるが、この実装基板は、その貫通孔に対向する部位での支持強度が低く、特に低音域の音の振幅を増幅させる増幅板の作用を発揮するため、音響がより良好なものになる。
【００１４】
請求項７に係る発明は、請求項５又は６記載の遊技機において、上記仕切壁に、実装基板に対向する部位にスピーカ本体の側方を通ってスピーカ本体の後方に抜ける逃がし孔を設ける構成とする。この構成では、実装基板収納空間内の実装基板に跳ね返った音の一部が仕切壁に設けた逃がし孔からスピーカ本体の側方を通ってスピーカ本体の後方に抜けるようになっているため、その分仕切壁の貫通孔を通して音響通路側から実装基板収納空間内への音の進入及び実装基板収納空間内から音響通路側への音の跳ね返りが促進されることになり、低音域の音響をより一層良好なものにすることができる。
【００１５】
請求項８に係る発明は、請求項２〜７のいずれか一つに記載の遊技機において、上記放音口を、斜め下向きに開口して形成する構成とする。この構成では、遊技機前面部の上部に設けた左右一対の放音口が、斜め下向きにつまり遊技者の耳に向いて開口しているため、音響効果がより高くなる。
【００１６】
【発明の実施の形態】
以下、本発明の実施の形態を図面に基づいて説明する。
（第１の実施形態）
図１は本発明の第１の実施形態に係る遊技機としてのスロットマシンＡの外観を示す。このスロットマシンＡの前面部を構成する前扉１は、リール装置やメダル払出装置などの装置類を収納する筐体（図示せず）の前側に開閉可能に取り付けられている。
【００１７】
上記前扉１の上部は、図２にも示すように、前扉１の他の部位から取り外し可能な上部パネル部１ａからなり、この上部パネル部１ａの表面側には上部中間ランプ３、上部パネル４、上部演出表示装置５及び左右一対の上部端ランプ６，６などが設けられている。
【００１８】
また、上記前扉１の中央部には中央パネル７及び中央操作部８が設けられている。中央パネル７は、アクリル板のような透明な合成樹脂板や強化ガラス板などの裏面にシルクスクリーン印刷により絵柄や模様などを施してなり、この中央パネル７には、シルクスクリーン印刷を施さず透明なままの部分である矩形状のリール表示窓９が形成されているとともに、このリール表示窓９の左側に５つの有効化表示ランプ１０ａ，１０ｂ，１０ｃ，１０ｄ，１０ｅが、リール表示窓９の下側にクレジット枚数表示器１１、役物当選回数表示器１２及び獲得枚数表示器１３がそれぞれ設けられている。中央操作部８上にはメダル投入口１５、始動スイッチ１６、３つの停止スイッチ１７ａ，１７ｂ，１７ｃ、マックスベットスイッチ１８及び精算スイッチ１９などが設けられている。中央操作部８よりも下側の前扉１の下部には装飾用の下部パネル２１、メダル払出口２２及びメダル受け皿２３が設けられている。
【００１９】
上記リール表示窓９からは筐体側のリール装置の３つの回転リール２５ａ，２５ｂ，２５ｃが横並びで見えるようになっている。各回転リール２５ａ〜２５ｃの外周面にはそれぞれ複数の図柄（図示せず）が円周方向に所定間隔毎に一列に描かれており、リール停止時には回転リール２５ａ〜２５ｃ毎に３つずつの図柄がリール表示窓９を通して前方つまり遊技者側に見えるようになっている。
【００２０】
上記５つの有効化表示ランプ１０ａ〜１０ｅはメダル投入口１５に投入されたメダルの枚数に応じて点灯するものであり、投入メダルが１枚のときには中央の１つの有効化表示ランプ１０ｃのみが点灯しかつその表示ランプ１０ｃから横に延びる入賞ラインＬ１が有効化される。投入メダルが２枚のときには中央寄りの３つの有効化表示ランプ１０ｂ，１０ｃ，１０ｄが点灯しかつこれらの表示ランプ１０ｂ〜１０ｄから横に延びる３本の入賞ラインＬ１，Ｌ２，Ｌ３が有効化され、投入メダルが３枚のときには５つの有効化表示ランプ１０ａ〜１０ｅ全てが点灯しかつ横に延びる３本の入賞ラインＬ１〜Ｌ３と斜めに延びる２本の入賞ラインＬ４，Ｌ５とが有効化される。
【００２１】
上記始動スイッチ１６は３つの回転リール２５ａ〜２５ｃを一斉に又は順次に回転始動させるものであり、上記各停止ボタン１７ａ〜１７ｃはそれぞれ対応する回転リール２５ａ〜２５ｃの回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数が獲得枚数表示器１３に表示され、その枚数のメダルがメダル払出口２２からメダル受け皿２３に払い出されるようになっている。
【００２２】
また、スロットマシンＡは、複数枚のメダルを予めメダル投入口１５から投入して預けておき、この預けメダルを消費しつつゲームを行うことができるいわゆるクレジット形式のものであり、クレジット枚数表示器１１には預けメダルの枚数が表示される。そして、始動スイッチ１６の操作に先立ってマックスベットスイッチ１８を押すと３枚のメダルが投入された場合と同様に入賞ラインＬ１〜Ｌ５が有効化される。精算スイッチ１９は、預けメダルを精算してメダル払出口２２からメダル受け皿２３に払い出すためのものである。
【００２３】
一方、上記上部パネル部１ａ側の上部パネル４は、アクリル板のような透明な合成樹脂板の裏面にシルクスクリーン印刷により配当表などの説明事項を施したものであり、上部演出表示装置５は、遊技演出やメッセージなどを表示するためのもので、本実施形態の場合ドットマトリックス表示器からなる。また、左右２つの上部端ランプ６，６は、図３に示すように、それぞれ表示パネル部としてのランプカバー３０と、このランプカバー３０の内側（裏側）に配置されランプカバー３０の内側から照明する照明手段としての複数の発光ダイオード（ＬＥＤ）３１，３１，…を有する実装基板３２とを備え、内部抽選でボーナスフラグが成立したとき発光ダイオード３１，３１，…が点滅してフラグ告知を行うようになっている。この上部端ランプ６は、本発明にいう表示用又は装飾用の所定物に相当するものであり、上部端ランプ６の実装基板３２が取り付けられる上部パネル部１ａの取付箇所は、上部端ランプ６の裏面側に相当し、本実施形態の場合垂直面状の仕切壁１ｂに形成されている。
【００２４】
そして、上記上部パネル部１ａの仕切壁１ｂにはスピーカ本体３３が取り付けられているとともに、上部パネル部１ａの上部端ランプ６（詳しくはランプカバー３０）の下端近傍にはスピーカ音を前方に向って放出する多数の小さな孔を有する放音口３４が設けられている。スピーカ本体３３は、その音出力部（スピーカコーン部）３３ａが仕切壁１ｂと所定の間隙３５をあけて対向した状態で取り付けられており、このスピーカ本体３３の音出力部３３ａと放音口３４とを連通させる音響通路３６が仕切壁１ｂに沿って略Ｌ字状に屈曲して形成されている。ここで、スピーカ本体３３、放音口３４及び音響通路３６は、一対の上部端ランプ６，６に対応して左右に一組ずつ設けられている。
【００２５】
従って、上記スロットマシンＡにおいては、前扉１の上部に左右一対の上部端ランプ６，６を設け、この各上部端ランプ６の裏面側にスピーカ本体３３を配置したことにより、前扉１の上部における上部端ランプ６，６の配置スペースを確保しながら、大型のスピーカ本体３３の配置スペースをも確保することができ、スピーカの大型化を図ることができる。しかも、スピーカ本体３３の音出力部３３ａから発せられるスピーカ音は、屈曲形状の音響通路３６を通して上部端ランプ６の裏面側を迂回し、前扉１の上部端ランプ６の下端近傍に設けた放音口３４から前方に向って放出されるため、スピーカとしての機能を損なうことはない。また、放音口３４とスピーカ本体３３とは、従来の如く直線的な配置関係にないため、針金などを放音口３４から差し込んでスピーカ本体３３の音出力部３３ａのコーン膜を破るなどの悪戯をされたり、不正な遊技の手段に利用されたりするのを防止することができる。
【００２６】
特に、本実施形態では、上部端ランプ６の裏面側に仕切壁１ｂを設ける一方、スピーカ本体３３を、その音出力部３３ａが仕切壁１ｂと所定の間隙３５をあけて対向した状態に配置したため、スピーカ本体３３の音出力部３３ａから発せられるスピーカ音は、最初に仕切壁１ｂに当たって確実に音響通路３６に導かれ、また、スピーカ本体３３の音出力部３３ａのコーンフレーム裏側の逆相音は、前扉１の後方つまり筐体内に回って前方に出難くなるので、音質の向上を図ることができる。さらに、スピーカ本体３３、放音口３４及び音響通路３６は、前扉１の上部に左右に一組ずつ設けられているため、遊技者への音響効果をより高めることができる。
【００２７】
尚、上記第１の実施形態では、上部端ランプ６の裏面側にスピーカ本体３３を配置するに当たり、スピーカ本体３３の音出力部３３ａが仕切壁１ｂと所定の間隔３５をあけて対向した状態に配置したが、場合によっては、図４に示すように、スピーカ本体３３の音出力部３３ａが仕切壁１ｂと略直交する下向き状態に配置するようにしてもよい。また、放音口３４は、上部端ランプ６よりも下側の中間パネル７に設けるようにしてもよい。
【００２８】
（第２の実施形態）
図５は本発明の第２の実施形態に係る遊技機としてのパチンコ機Ｂを示し、４０はパチンコ機Ｂの前面部を構成する前面枠であって、この前面枠４０の中央部にはガラス窓４１を通して遊技面４２が前方つまり遊技者側に見えるようになっている。
【００２９】
上記遊技面４２には、その中央に中央入賞装置４３が設けられているとともに、複数の入賞口及び障害釘（いずれも図示せず）などが適宜配置されている。また、前面枠４０のガラス枠４１より下側の下部には球受け上皿４６、球受け下皿４７及び球打ち出し操作ハンドル４８が設けられているとともに、前面枠４０のガラス枠４１より斜め上側の左右の隅角部にはそれぞれ表示用又は装飾用の所定物としてのランプ装置５０，５０が設けられている。
【００３０】
上記各ランプ装置５０は、図６に詳示するように、前面枠４０に設けたランプ取付開口部５１の表面側に装着された表示パネル部としてのランプカバー５４と、上記ランプ取付開口部５１の裏面側に装着されランプカバー５４を裏側から照明する照明手段としての複数の発光ダイオード５２，５２，…を有するランプ実装基板５３とを備えている。上記ランプ実装基板５３の裏面側にはスピーカ本体５６がその音出力部５６ａをランプ実装基板５３と所定の間隙５７をあけた状態で配置され、このスピーカ本体５６は、取付部材５８を介して前面枠４０に固定されている。また、前面枠４０のランプ装置５０の下側近傍にはスピーカ音を前方に向って放出する多数の小さな孔を有する放音口５９が設けられており、この放音口５９及びランプ装置５０のランプカバー５４は、前面枠４０の隅角部に対応して全体で略直角三角形状に形成されている。放音口５９とスピーカ本体５６の音出力部５６ａとは、上記取付部材５８によってランプ装置５０の裏面側を迂回するように形成された音響通路６０を通して連通されている。ここで、スピーカ本体５６、放音口５９及び音響通路６０は、一対のランプ装置５０，５０に対応して左右に一組ずつ設けられている。
【００３１】
そして、上記パチンコ機Ｂにおいても、第１の実施形態に係るスロットマシンＡの場合と同様に、前面枠４０のガラス枠４１より斜め上側の左右の隅角部にそれぞれランプ装置５０，５０を設け、この各ランプ装置５０の裏面側にスピーカ本体５６を配置したことにより、前面枠４０のガラス枠４１より斜め上側にランプ装置５０，５０の配置スペースを確保しながら、大型のスピーカ本体５６の配置スペースをも確保することができ、しかも、針金などを放音口５９から差し込んでスピーカ本体５６の音出力部５６ａのコーン膜を破るなどの悪戯をされたり、不正な遊技の手段に利用されたりするのを防止できるなどの効果を奏するのは勿論である。
【００３２】
（第３の実施形態）
図７及び図８は本発明の第３の実施形態として、第１の実施形態に係るスロットマシンＡの上部端ランプ６の裏面側に装備されるスピーカ取付構造の変形例を示す。
【００３３】
上部端ランプ６は、第１の実施形態の場合のそれと同じく、表示パネル部としてのランプカバー７０と、このランプカバー７０の内側（裏側）に配置されランプカバー７０の内側から照明する照明手段としての複数の発光ダイオード７１，７１，…を有する実装基板７２とを備えており、この実装基板７２は、上部パネル部１ａの垂直面状の仕切壁１ｂに対し柱状の支持部７３を介在して所定の間隔を隔てて支持されている。
【００３４】
上記仕切壁１ｂの後方には、第１の実施形態の場合と同じく、スピーカ本体７４が配置されているとともに、上部パネル部１ａの上部端ランプ６の下端近傍にはスピーカ音を前方に向って放出する多数の小さな孔を有する放音口７５が設けられている。スピーカ本体７４は、その音出力部７４ａが仕切壁１ｂと所定の間隙７６をあけて対向した状態で仕切壁１ｂに取り付けられており、このスピーカ本体７４の音出力部７４ａと放音口７５とを連通させる音響通路７７が仕切壁１ｂに沿って略Ｌ字状に屈曲して形成されている。
【００３５】
そして、第３の実施形態の特異点として、上記上部パネル部１ａ及び上部端ランプ６のランプカバー７０は、上部端ランプ６の下端部が最も前方に位置し、その位置から上方又は下方に行くに従って後方に傾斜する傾斜面を有してなり、上記放音口７５は、この上部パネル部１ａの後方下向き傾斜面に位置し、前方下向きに開口して形成されている。また、上記仕切壁１ｂには、正面視でスピーカ本体７４の音出力部７４ａに対向する領域内で音響通路７７と上部端ランプ６の内部空間である実装基板収納空間７８とを連通する複数（図で４つ）の円形状の貫通孔７９，７９，…が設けられているとともに、この貫通孔７９よりも上側又は右側で実装基板７２に対向する部位にそれぞれスピーカ本体７４の側方を通ってスピーカ本体７４の後方に抜ける２つの逃がし孔８０，８０が設けられている。さらに、実装基板７４は、仕切壁１ｂに対し３箇所で各々支持部７３を介して支持されているが、貫通孔７９に対向する付近では支持されておらず、その支持強度が他の部位よりも低く設定されている。
【００３６】
そして、上記第３の実施形態においては、第１の実施形態の場合と同様な効果を奏することができる上、下記のような効果をも有する。
【００３７】
第１に、仕切壁１ｂに設けた貫通孔７９により、音響通路７７の、特にスピーカ本体７４の音出力部７４ａと仕切壁１ｂとの間の間隙部７６における出力音による密閉空気圧の負荷を軽減することができ、良好な音響出力を確保することができる。特に、本実施形態の場合、仕切壁１ｂの、正面視でスピーカ本体７４の音出力部７４ａに対向する領域内に、スピーカ本体７４の音出力部７４ａに相当する大きさの１つの貫通孔を設ける代わりに、これよりも小さい複数の貫通孔７９，７９，…を設けることにより、仕切壁１ｂの強度をも確保することができる。
【００３８】
第２に、仕切壁１ｂの貫通孔７９を通して音響通路７７側から上部端ランプ６の内部空間である実装基板収納空間７８内に入った音は実装基板７２に当たることになるが、この実装基板７２は、その貫通孔７９に対向する部位での支持強度が低くなっているため、特に低音域の音の振幅を増幅させる増幅板の作用を発揮することになり、音響をより良好なものにすることができる。
【００３９】
第３に、実装基板収納空間７８内の実装基板７２に跳ね返った音の一部は仕切壁１ｂに設けた逃がし孔８０からスピーカ本体７４の側方を通ってスピーカ本体７４の後方に抜けるようになっているため、その分仕切壁１ｂの貫通孔７９を通して音響通路７７側から実装基板収納空間７８内への音の進入及び実装基板収納空間７８内から音響通路７７側への音の跳ね返りが促進されることになり、低音域の音響をより一層良好なものにすることができる。
【００４０】
第４に、前扉１の上部に設けた左右一対の放音口７５，７５は、斜め下向きにつまり遊技者の耳に向いて開口しているため、音響効果をより高めることができる。
【００４１】
（その他の実施形態）
尚、上記第１ないし第３の実施形態では、いずれも遊技機の前面部（前扉１又は前面枠４０）の上部に左右一対の表示用又は装飾用の所定物（上部端ランプ６又はランプ装置５０）を設け、この各所定物の裏面側にそれぞれスピーカ本体３３，５６又は７４を配置するように構成したが、本発明は、遊技機の前面部の他の部位に１つ又は複数の表示用又は装飾用の所定物を設け、この所定物の裏面側にスピーカ本体を配置するようにしてもよい。例えば、図１に示すスロットマシンＡでは、前扉１の下部に装飾用の下部パネル２１を設けているが、この下部パネル２１の裏面側にスピーカ本体を配置する場合には、下部パネル２１の周辺に放音口を設け、この放音口とスピーカ本体とを連通させる音響通路を、下部パネル２１の裏側にこれを迂回するように形成すればよい。
【００４２】
また、上記各実施形態では、表示用又は装飾用の所定物としての上部端ランプ６又はランプ装置５０は、いずれも表示パネル部としてのランプカバー３０，５４又は７０と、このランプカバー３０，５４又は７０を裏側から照明する照明手段としての複数の発光ダイオード３１，５２又は７１を有する実装基板３２，５３又は７２とを備えてなる場合について述べたが、本発明、特に請求項４に係る発明は、発光ダイオードの代わりに、ミニ蛍光灯や豆ランプなどを用いて照明手段を構成してもよく、また表示パネル部として液晶ディスプレイを用い、この液晶ディスプレイを裏側からバックライトにより照らすように構成してもよい。
【００４３】
さらに、上記第１の実施形態では、外周面にそれぞれ複数の図柄が描かれた３つの回転リール２５ａ〜２５ｃを備えたスロットマシンＡについて述べたが、本発明は、このような回転リールの代わりに、外周面に複数の図柄が描かれたベルトや液晶ディスプレイなどの図柄可変表示部を備えたスロットマシンにも適用することができるのは勿論である。
【００４４】
【発明の効果】
以上のように、本発明の遊技機によれば、遊技機前面部に表示用又は装飾用の所定物を設け、この所定物の裏面側にスピーカ本体を配置することにより、表示用又は装飾用の所定物の配置スペースを確保しながら、大型のスピーカを使用することができる。しかも、放音口から針金などを差し込んでスピーカ本体の音出力部のコーン膜を破るなどの悪戯をされたり、不正な遊技の手段に利用されたりするのを防止することができ、実施化を図る上で非常に有効なものである。
【００４５】
特に、請求項２に係る発明では、遊技機前面部の上部に設けた左右一対の放音口からそれぞれスピーカ音が遊技者の耳近くに向って放出されるため、音響効果を高くすることができるという効果をも有する。
【００４６】
請求項３に係る発明では、スピーカ本体の音出力部から発せられるスピーカ音を仕切壁に当てて確実に音響通路ひいては放音口に導くことができる上、スピーカ本体の音出力部のコーンフレーム裏側の逆相音が遊技機前面部の後方に回って前方に出難くなるので、音質の向上を図ることができる。
【００４７】
請求項５に係る発明では、仕切壁に設けた貫通孔によってスピーカ本体の音出力部と仕切壁との間の間隙部における出力音による密閉空気圧の負荷を軽減することができるので、良好な音響出力を確保することができる。
【００４８】
請求項６に係る発明では、照明手段の実装基板が、特に低音域の音の振幅を増幅させる増幅板の作用を発揮するため、音響をより良好なものとすることができる。
【００４９】
請求項７に係る発明では、実装基板収納空間内の実装基板に跳ね返った音の一部が仕切壁に設けた逃がし孔からスピーカ本体の側方を通ってスピーカ本体の後方に抜けるようになっているため、その分仕切壁の貫通孔を通して音響通路側から実装基板収納空間内への音の進入及び実装基板収納空間内から音響通路側への音の跳ね返りを促進することができ、低音域の音響効果をより一層良好なものにすることができる。
【００５０】
さらに、請求項８に係る発明では、遊技機前面部の上部に設けた左右一対の放音口が、遊技者の耳に向いて斜め下向きに開口しているため、遊技者に対する音響効果をより高めることができる。
【図面の簡単な説明】
【図１】本発明の第１の実施形態に係るスロットマシンの外観を示す正面図である。
【図２】上記スロットマシンの前扉の上部パネル部の背面図である。
【図３】図２のＸ−Ｘ線における拡大断面図である。
【図４】第１の実施形態の変形を示す図３相当図である。
【図５】第２の実施形態に係るパチンコ機の外観を概略的に示す正面図である。
【図６】図５のＹ−Ｙ線における拡大断面図である。
【図７】第３の実施形態に係るスロットマシンの上部端ランプ付近のランプカバーを取り外した状態の正面図である。
【図８】図７のＺ−Ｚ線における断面図である。
【図９】従来のスピーカ取付構造を示す断面図である。
【符号の説明】
Ａ　　スロットマシン（遊技機）
Ｂ　　パチンコ機（遊技機）
１　　前扉（遊技機前面部）
１ａ　上部パネル部
１ｂ　仕切壁
６　　上部端ランプ（所定物）
３０，５４，７０　　ランプカバー（表示パネル部）
３１，５２，７１　　発光ダイオード（照明手段）
３２，５３，７２　　実装基板（照明手段）
３３，５６，７４　　スピーカ本体
３３ａ，５６ａ，７４ａ　　音出力部
３４，５９，７５　　放音口
３５，５７，７６　　間隙
３６，６０，７７　　音響通路
４０　　前面枠（遊技機前面部）
５０　　ランプ装置（所定物）
７８　　実装基板収納空間（内部空間）
７９　　貫通孔
８０　　逃がし孔
【図１】
2004049885.tif 000003
【図２】
2004049885.tif 000004
【図３】
2004049885.tif 000005
【図４】
2004049885.tif 000006
【図５】
2004049885.tif 000007
【図６】
2004049885.tif 000008
【図７】
2004049885.tif 000009
【図８】
2004049885.tif 000010
【図９】
2004049885.tif 000011